(57)【要約】【課題】    本発明の課題は、より簡単なスイッチモジュールによって日付表示部を実現することができる上記種類の時計を提供することである。【解決手段】スイッチリング（７）の回転方向に見て、３０日から３１日に前記一の位のディスク（２）を切り換える第１のスイッチギヤ（９ａ）の後方で、スイッチリング（７）には、前記一の位のディスク（２）に作用しない第２のスイッチギヤ（９ｂ）が配置されていることにより解決される。【選択図】  図１
2010223959.tif 000002
【特許請求の範囲】
【請求項１】
共通のまたは２つの仕切り窓に２つの数列（１０、１８）を有すると共に、一の位のディスク（２）と十の位のディスク（３）とを有するデジタル日付表示部（１）を有する時計であって、前記十の位のディスク（３）が第１の遊星ギヤ（４）を有し、前記一の位のディスク（２）が第２の遊星ギヤ（５）を有し、前記両方の遊星ギヤ（４、５）が、基板（６）に支持されたスイッチリング（７）に係合しており、前記スイッチリング（７）が、日付スイッチホイール（８）によって駆動されており、前記一の位のディスク（２）を回転させるためのスイッチギヤ（９）を備える時計において、前記スイッチリング（７）の回転方向に見て、３０日から３１日に前記一の位のディスク（２）を切り換える第１のスイッチギヤ（９ａ）の後方で、前記スイッチリング（７）には、前記一の位のディスク（２）に作用しない第２のスイッチギヤ（９ｂ）が配置されていることを特徴とする時計。
【請求項２】
前記第２のスイッチギヤ（９ｂ）が、前記一の位のディスク（２）の領域において、前記第２の遊星ギヤ（５）に係合しないように移動されるべく制御されていることを特徴とする請求項１に記載の時計。
【請求項３】
前記第２のスイッチギヤ（９ｂ）が前記基板（６）の制御曲線部（１３）で制御されていることを特徴とする請求項１または２に記載の時計。
【請求項４】
前記第２のスイッチギヤ（９ｂ）を制御するための前記制御曲線部（１３）が、前記基板（６）の切り欠き（２１）に配置されていることを特徴とする請求項３に記載の時計。
【請求項５】
前記制御曲線部（１３）が周辺溝として形成されていることを特徴とする請求項４に記載の時計。
【請求項６】
前記スイッチリング（７）の前記第２のスイッチギヤ（９ｂ）が半径方向に移動可能に支持されていることを特徴とする請求項１〜５のいずれか一つに記載の時計。
【請求項７】
前記第２のスイッチギヤ（９ｂ）が、前記スイッチリング（７）の半径方向に延びる長孔（１４）に係合することを特徴とする請求項６に記載の時計。
【請求項８】
前記第２のスイッチギヤ（９ｂ）が、前記長孔（１４）に係合するピン（１５）を備えることを特徴とする請求項７に記載の時計。
【請求項９】
前記ピン（１５）がリベットであることを特徴とする請求項８に記載の時計。
【請求項１０】
前記ピン（１５）が、前記基板（６）に案内されている頭部（１６）を備えることを特徴とする請求項８または９に記載の時計。
【請求項１１】
前記日付表示部（１）が大型日付として形成されていることを特徴とする請求項１〜１０のいずれか一つに記載の時計。
【請求項１２】
前記一の位のディスク（２）および前記十の位のディスク（３）が並行偏心して配置されていることを特徴とする請求項１〜１１のいずれか一つに記載の時計。
【請求項１３】
前記第２のスイッチギヤ（９ｂ）が、前記一の位のディスク（２）の領域において、前記第２の遊星ギヤ（５）に係合しないように、半径方向外側に、上方または下方に移動されることを特徴とする請求項２〜１２のいずれか一つに記載の時計。
【請求項１４】
前記日付表示部（１）がモジュールとして形成されていることを特徴とする請求項１〜１３のいずれか一つに記載の時計。
【発明の詳細な説明】
【技術分野】
【０００１】
本発明は、共通のまたは２つの仕切り窓に２つの数列を有すると共に、一の位のディスクと十の位のディスクとを有するデジタル日付表示部を有する時計であって、十の位のディスクが第１の遊星ギヤを有し、一の位のディスクが第２の遊星ギヤを有し、両方の遊星ギヤが、基板に支持されたスイッチリングに係合しており、このスイッチリングが、日付スイッチホイールによって駆動されており、一の位のディスクを回転させるためのスイッチギヤを備える時計に関する。
【背景技術】
【０００２】
デジタル日付表示部を有する時計が長い間知られている。日付表示部はいわゆる複雑である。広く普及した構造的に比較的簡単な日付表示部は、１〜３１までの数字が印刷されているリングを有する。リングは基板の凹部に案内されている。日付ロックにより、リングは自動的に調整されなくなる。この日付ロックはリングの内歯に係合する。リングは、１日に関連しかつ全２４時間で１段だけ切り換えられる日付スイッチホイールによって回転される。
【０００３】
さらに、０〜９の数字を有する一の位のディスクと、０、１、２、３の数字を有する十字状の十の位のディスクとを備える日付表示部が知られている。この日付表示部は、いわゆる大型日付を可能にする。この日付表示部では、３１から１への変更時に、一の位のディスクが１のままであり、十の位のディスクがフィールド値０にさらに切り換えられるようにする回路が必要となる。従来、これにより、比較的高価な伝動装置が必要となる。
【発明の概要】
【発明が解決しようとする課題】
【０００４】
本発明の課題は、より簡単なスイッチモジュールによって日付表示部を実現することができる上記種類の時計を提供することである。
【課題を解決するための手段】
【０００５】
この課題は、スイッチホイールの回転方向に見て、３０日から３１日に一の位のディスクを切り換えるスイッチギヤの後方において、スイッチリングには、一の位のディスクに作用しない第２のスイッチギヤが配置されている同じ分野の時計によって解決される。これにより、第２のスイッチギヤは一の位のディスクを回転させない。したがって、この第２のスイッチギヤは、一の位のディスクの切換時に、３から０のままである。これによって、窓には、日付０１が現れ、日付０２は現れない。第２のスイッチギヤに後続するスイッチギヤは、次の日に数字０２が窓に現れるように、一の位のディスクに対してさらに作用する。
【０００６】
本発明による時計では、日付表示部用のスイッチモジュールを比較的簡単に形成することができるが、その理由は、上記第２のスイッチギヤが第２の遊星ギヤに係合しないように、上記第２のスイッチギヤを形成すればよいからである。本発明の発展形態によれば、第２のスイッチギヤが、第２の遊星ギヤの領域において、第２の遊星ギヤに係合しないように、半径方向外側に移動されるべく制御されている場合に、上記のことを特に簡単かつ確実に実現することができる。
【０００７】
本発明の発展形態によれば、第２のスイッチギヤが基板に制御されていることが意図されている。このため、特に、第２のスイッチギヤを制御するための基板が上面に制御曲線部を備えることが意図されている。この制御曲線部は、基板の上面の溝によって特に簡単に実現することができる。
【０００８】
本発明の発展形態によれば、スイッチリングの上記第２のスイッチギヤが、半径方向に制限的に移動可能に支持されていることが意図されている。この支持は、本発明の発展形態によれば、スイッチギヤが係合する半径方向に延びる長孔によって行われる。このため、本発明の発展形態によれば、第２のスイッチギヤが下面に、上記長孔に係合するピンを備えることが意図されている。このピンは、リベットとして形成されているのが好ましい。本発明の発展形態によれば、ピンまたはリベットは、基板に案内されている頭部を備える。特に、頭部が、基板の溝に係合し、この溝で制御されていることが意図されている。一の位のディスクの領域において、溝は外側に案内されているので、それに応じて、第２のスイッチギヤが外側に移動される。一の位のディスクおよび十の位のディスクは、並行偏心して配置されているのが好ましい。一の位のディスクおよび十の位のディスクの領域は部分的に重なり合うこともできる。
【０００９】
別の有利な特徴は、従属請求項、以下の説明および図面から明らかとなる。
【００１０】
図面を参照して、本発明の実施形態について以下に詳細に説明する。
【図面の簡単な説明】
【００１１】
【図１】本発明による時計の、日付表示部に重要な部分（分かりやすくするために分離されている）の立体図である。
【図２】分かりやすくするために部分が省略されている本発明による時計の平面図である。
【図３】分かりやすくするために部分が省略されている本発明による時計の別の図面である。
【図４】スイッチリングの立体図である。
【図５】大きく拡大されたスケールのスイッチリングおよびスイッチ曲線部の部分図である。
【図６】分かりやすくするために部分が省略されている本発明による時計の平面図である。
【図７】分かりやすくするために部分が省略されている本発明による時計の別の図面である。
【発明を実施するための形態】
【００１２】
時計は、日付表示部１が支持されている基板６を有する。基板６は、日付表示部１を形成するモジュールのこの場合には図示されていない基本品等のものであり得る。基板６は、切り欠き２１が嵌合されている上面１２を有する。この切り欠き２１には、内側に３１個のスイッチギヤ９、上面に４つのスイッチカム１７を備えるスイッチリング７が回転可能に支持されている。スイッチリング７は、基板６と同心に支持されており、１日毎に、周囲の３１個の部分または内側スイッチギヤ９の部分の周りを時計回り方向に回転するように、日付スイッチホイール８によって駆動される。ロックレバーによってスイッチリング７に係合するそれ自体公知のロックばね１１は、スイッチリング７が自動的に回転することと、スイッチリング７が切換工程後に再び位置決めされることを防止する。また、日付スイッチホイール８は、公知の方法において１日毎に駆動されている。
【００１３】
さらに、基板６には、４つのギヤ２２を備えかつ十の位のディスク３と同心に確実に連結されている第１の遊星ギヤ４が支持されている。十の位のディスク３は、０、１、２、３の数字を上面に十字状に有する。第１の遊星ギヤ４、したがって十の位のディスク３はスイッチリング７によって切り換えられる。このため、スイッチカム１７の１つがギヤ２２の１つにそれぞれ係合する。
【００１４】
さらに、スイッチリング７は、上面に数列１０を有する一の位のディスク２を切り換えるために使用される。この数列１０は、０〜９の数字である。一の位のディスク２は、１０個のギヤを有する第２の遊星ギヤ５に回転不能に連結されており、この第２の遊星ギヤは基板６に支持されている。第２の遊星ギヤ５もスイッチリング７によって駆動されている。それに応じて、一の位のディスク２が回転される。３１個のスイッチギヤ９により、スイッチギヤ９ｂは、第２の遊星ギヤ５に係合しないように形成されている。反対方向において、第２のスイッチギヤ９ｂの前方には第１のスイッチギヤ９ａが配置されており、この第１のスイッチギヤは、３０日から３１日に一の位のディスク２を切り換える。係合時には、第２のスイッチギヤ９ｂは日付を３１日から３２日に切り換えるであろう。しかし、この第２のスイッチギヤ９ｂは一の位のディスク２に係合しないので、十の位のディスク３のみが回転される。したがって、日付は３１日から０１日に移行する。スイッチギヤ９は、日付スイッチホイール８を介してスイッチリング７を切り換えるためにも使用される。
【００１５】
第２のスイッチギヤ９ｂは、図４によれば、スイッチリング７の半径方向の溝１９に上方から挿入されている。上側において、第２のスイッチギヤ９は、スイッチリング７の上面２０とほぼ面一になっている。溝１９の領域において、スイッチリング７には長孔１４が嵌合されており、この長孔にはピン１５が係合する。ピン１５、例えばリベットは、第２のスイッチギヤ９ｂに確実に連結されている。ピン１５が係合する長孔１４により、溝１９内における第２のスイッチギヤ９ｂの半径方向移動を制限することが可能になる。第２のスイッチギヤ９ｂを制御するために、基板６には周辺溝１３（図３）が嵌合されている。この溝１３にはピン１５の頭部１６が係合する。原則として円形および同心のこの溝１３または制御曲線部は、図５によれば、半径方向外側にオフセットされている領域１３ａを有する。この領域１３ａは、図５によれば、第２の遊星ギヤ５の高さにある。上記領域は、第２のスイッチギヤ９ｂが、第２の遊星ギヤ５の領域において半径方向外側にオフセットされ、これにより、第２の遊星ギヤ５に係合しないという作用を有する。したがって、一の位のディスク２は移動されない。図６および図７は、第２のスイッチギヤ９ｂの上記支持に基づいて、十の位のディスク３のみが回転される３１日から０１日への日付変更を示している。上記半径方向移動の代わりに、第２のスイッチギヤ９ｂを軸方向に上方または下方に移動させることもできる。この場合にも、曲線部を介した制御が可能である。一の位のディスク２および十の位のディスク３は、図６および図７によれば、並行偏心して配置されている。しかし、原則として、一の位のディスク２および十の位のディスク３の両方を同心の構成にすることも可能である。
【符号の説明】
【００１６】
１  日付表示部
２  一の位のディスク
３  十の位のディスク
４  第１の遊星ギヤ
５  第２の遊星ギヤ
６  基板
７  スイッチリング
８  日付スイッチホイール
９  スイッチギヤ
９ａ  第１のスイッチギヤ
９ｂ  第２のスイッチギヤ
１０  数列（一の位のディスク）
１１  ロックばね（ロックレバー）
１２  上面
１３  制御曲線部
１３ａ  領域
１４  長孔
１５  ピン
１６  頭部
１７  スイッチカム
１８  数列（十の位のディスク）
１９  溝
２０  上面
２１  切り欠き
２２  ギヤ
【図１】
2010223959.tif 000003
【図２】
2010223959.tif 000004
【図３】
2010223959.tif 000005
【図４】
2010223959.tif 000006
【図５】
2010223959.tif 000007
【図６】
2010223959.tif 000008
【図７】
2010223959.tif 000009